(57)【要約】【課題】  線画部分の画質劣化を防止できる画像処理装置を提供する。【解決手段】  処理対象となっている画像データから線画を構成する画素を、線画構成画素群として抽出し、線画構成画素群で用いられている色数を算出し、この色数と、当該色数とは異なる所定の条件と、に基づいて、互いに異なる複数の圧縮処理のいずれかを選択的に適用し、線分構成画像を圧縮する画像処理装置である。【選択図】        図１
2005244649.tif 000002
【特許請求の範囲】
【請求項１】
処理対象となっている画像データから線画を構成する画素を、線画構成画素群として抽出する手段と、
前記線画構成画素群で用いられている色数を算出する手段と、
前記色数が所定値を越える場合に、
（１）前記線画構成画素群を分割して、それぞれ所定値未満の色数からなる複数の部分線画構成画素群を生成して圧縮するか、
（２）前記線画構成画素群を二値化した二値化画素群を生成するとともに、当該二値化画素群に含まれる有意画素部分に合成したときに、前記線画構成画素群の色を再現する色画像を生成し、これら二値化画素群と色画像との少なくとも一方を圧縮するか、
（３）前記線画構成画素群で用いられている色を限定して、減色処理して圧縮するか、
のいずれかの圧縮処理を所定の条件に基づいて選択的に適用し、前記線分構成画像を圧縮する圧縮手段と、
を含むことを特徴とする画像処理装置。
【請求項２】
請求項１に記載の画像処理装置であって、
前記圧縮手段は、利用者からの指示を前記所定の条件として、前記（１）から（３）までのいずれかの圧縮処理を選択することを特徴とする画像処理装置。
【請求項３】
処理対象となっている画像データから線画を構成する画素を、線画構成画素群として抽出する手段と、
前記線画構成画素群で用いられている色数を算出する手段と、
前記色数と、当該色数とは異なる所定の条件と、に基づいて、互いに異なる複数の圧縮処理のいずれかを選択的に適用し、前記線分構成画像を圧縮する圧縮手段と、
を含むことを特徴とする画像処理装置。
【請求項４】
処理対象となっている画像データから線画を構成する画素を、線画構成画素群として抽出する工程と、
前記線画構成画素群で用いられている色数を算出する工程と、
前記色数と、当該色数とは異なる所定の条件と、に基づいて、互いに異なる複数の圧縮処理のいずれかを選択的に適用し、前記線分構成画像を圧縮する圧縮工程と、
を含むことを特徴とする画像処理方法。
【請求項５】
コンピュータに、
処理対象となっている画像データから線画を構成する画素を、線画構成画素群として抽出する手順と、
前記線画構成画素群で用いられている色数を算出する手順と、
前記色数と、当該色数とは異なる所定の条件と、に基づいて、互いに異なる複数の圧縮処理のいずれかを選択的に適用し、前記線分構成画像を圧縮する手順と、
を実行させることを特徴とする画像処理プログラム。
【発明の詳細な説明】
【技術分野】
【０００１】
本発明は、画像データから線画部分とそれ以外の部分とを少なくとも分離して圧縮処理を行う画像処理装置に関する。
【背景技術】
【０００２】
ラスタ画像のデータ（以下、区別するべき場合を除いて単に「画像データ」と呼ぶ）には、文字（テキスト）部分や、線画部分、さらには自然画などの部分（絵柄部分）など、互いに性状の異なる多くの画像要素が含まれ得る。こうした画像要素は、その性状の相違から、例えば圧縮処理において異なる方式での圧縮が適していたりするなど、画像要素ごとに異なる画像処理を行うことが好ましい場合が多い。そこで従来から、いわゆるＴ／Ｉ分離と呼ばれる画像処理が研究・開発され、文字部分と絵柄部分とを分離して、それぞれに適した圧縮処理を行う処理方法が知られている（特許文献１，２）。
【特許文献１】特開２００２−３６９０１１号公報
【特許文献２】特開２００３−１８４１３号公報
【特許文献３】特開２００２−１７５５３２号公報
【発明の開示】
【発明が解決しようとする課題】
【０００３】
しかしながら、上記従来の方式では、一般に線画で構成される部分が絵柄として扱われることとなり、線図や表罫線などの高周波部分が例えばＪＰＥＧ（Joint Picture Experts Group）圧縮処理されてモスキートノイズが発生するなどの問題点があった。
【０００４】
本発明は上記実情に鑑みて為されたもので、線画を個別に扱うことで、線画部分の画質劣化を防止できる画像処理装置を提供することをその目的の一つとする。
【課題を解決するための手段】
【０００５】
上記従来例の問題点を解決するための本発明は、画像処理装置であって、処理対象となっている画像データから線画を構成する画素を、線画構成画素群として抽出する手段と、前記線画構成画素群で用いられている色数を算出する手段と、前記色数が所定値を越える場合に、（１）前記線画構成画素群を分割して、それぞれ所定値未満の色数からなる複数の部分線画構成画素群を生成して圧縮するか、（２）前記線画構成画素群を二値化した二値化画素群を生成するとともに、当該二値化画素群に含まれる有意画素部分に合成したときに、前記線画構成画素群の色を再現する色画像を生成し、これら二値化画素群と色画像との少なくとも一方を圧縮するか、（３）前記線画構成画素群で用いられている色を限定して、減色処理して圧縮するか、のいずれかの圧縮処理を所定の条件に基づいて選択的に適用し、前記線分構成画像を圧縮する圧縮手段と、を含むことを特徴としている。またここで前記圧縮手段は、利用者からの指示を前記所定の条件として、前記（１）から（３）までのいずれかの圧縮処理を選択することとしてもよい。
【０００６】
また上記従来例の問題点を解決するための本発明は、画像処理装置であって、処理対象となっている画像データから線画を構成する画素を、線画構成画素群として抽出する手段と、前記線画構成画素群で用いられている色数を算出する手段と、前記色数と、当該色数とは異なる所定の条件と、に基づいて、互いに異なる複数の圧縮処理のいずれかを選択的に適用し、前記線分構成画像を圧縮する圧縮手段と、を含むことを特徴としている。
【０００７】
さらに本発明の一態様に係る画像処理方法は、処理対象となっている画像データから線画を構成する画素を、線画構成画素群として抽出する工程と、前記線画構成画素群で用いられている色数を算出する工程と、前記色数と、当該色数とは異なる所定の条件と、に基づいて、互いに異なる複数の圧縮処理のいずれかを選択的に適用し、前記線分構成画像を圧縮する圧縮工程と、を含むことを特徴としている。
【０００８】
さらに本発明の別の態様に係る画像処理プログラムは、コンピュータに、処理対象となっている画像データから線画を構成する画素を、線画構成画素群として抽出する手順と、前記線画構成画素群で用いられている色数を算出する手順と、前記色数と、当該色数とは異なる所定の条件と、に基づいて、互いに異なる複数の圧縮処理のいずれかを選択的に適用し、前記線分構成画像を圧縮する手順と、を実行させることを特徴としている。
【発明を実施するための最良の形態】
【０００９】
本発明の実施の形態に係る画像処理装置は、図１に示すように、制御部１１と記憶部１２と画像入力部１３と画像出力部１４とを含んで構成されている。制御部１１は、記憶部１２に格納されているプログラムに従って動作しており、後に説明する各画像処理を遂行する。この画像処理の内容については、後に詳しく述べる。なお、以下の説明で、線分との語には基本的に文字や線画など線分を含んで構成される画像要素が含まれるものとする。
【００１０】
記憶部１２は、制御部１１によって実行されるプログラムを保持している。またこの記憶部１２は、制御部１１の処理の過程で生成される各種データ等を格納するワークメモリとしても動作する。具体的にこの記憶部１２は、コンピュータ可読な記録媒体と当該記録媒体に対してデータを書き込み、又は当該記録媒体からデータを読み出す装置（例えばハードディスク装置やメモリ装置）として実装できる。
【００１１】
画像入力部１３は、例えばスキャナであり、原稿を光学的に読み取って得られた画像データを制御部１１に出力する。ここではこの画像入力部１３が出力する画像データにおいて、各画素の値がＲＧＢ（赤、緑、青）の色空間で表現されているとする。画像出力部１４は、制御部１１から入力される指示に従って画像データを出力するもので、例えば画像形成部（プリンタ等）に出力し、又はネットワークを介して外部の装置に送信する等の処理を行うものである。
【００１２】
次に制御部１１の処理の内容について説明する。本実施の形態の制御部１１は、図２に機能的に示すように、画像入力部１３から入力される画像データを処理対象として、この処理対象となった画像データに対して、所定前処理を行う前処理部２１と、文字や線画を含む線分を抽出する線分抽出処理部２２と、レイアウト解析部２３と、線分除外画像生成部２４と、線分画像処理部２５と、文字画像処理部２６と、フォーマット処理部２７とを含んで構成されている。
【００１３】
以下、これら各部について具体的に説明する。
【００１４】
［前処理部］
この前処理部２１では、画像入力部１３から入力される画像データ（処理対象画像データ）の各画素の値をＲＧＢからＹＣｂＣｒ（輝度と色差とからなる値）に変換する。具体的には、次の（１）式を用いて変換を行うことができる。なお、ここではＲＧＢの各成分の値は0x00（「0x」は１６進数であることを示す）から0xFFまでの値であるとしている。また、この前処理部２１では、下地領域の輝度・彩度に基づいて各画素値を階調補正してもよい。尤も、この階調補正の処理は、必ずしも必要なものではない。
【００１５】
【数１】
2005244649.tif 000003
【００１６】
［線分抽出処理部］
線分抽出処理部２２は、前処理部２１が出力するＹＣｂＣｒ色空間で表現された画像データ（処理対象データ）から文字線画部分を抽出して、文字や線画の部分からなる画像データ（線分抽出画像データ）を生成する。この処理は、特許文献３に開示されているのと同様の処理を用いることができるので、詳細な説明を省略する。
【００１７】
［レイアウト解析部］
レイアウト解析部２３は、線分抽出処理部２２が生成した線分抽出画像データについて公知のレイアウト解析処理を行い、文字を含む領域を画定する情報と、文字以外の線画を含む領域を画定する情報と、各領域を区分するセパレータの領域を画定する情報とを生成する。具体的には、このレイアウト解析部２３は線分抽出画像データから、互いに連結している有意画素群を少なくとも一つ抽出する。そして各有意画素群に外接する矩形のサイズや、隣接する矩形との距離や位置関係に基づいて、各々の矩形のサイズが例えば６ポイント平方以上で２４ポイント平方以下であり、かつ主走査方向又は副走査方向に並べて配置されている場合に、当該配置されている各矩形内の画素群が文字であると判断する。
【００１８】
また、文字と判断されなかった有意画素群に外接する矩形については、文字以外の線画を含む領域であると判断する。さらに、文字以外の線画を含むと判断された各矩形（以下、線画矩形と呼ぶ）及び文字を含むと判断された各矩形（以下、文字矩形と呼ぶ）間の有意でない画素部分をセパレータの領域として画定する。
【００１９】
なお、ここで有意画素とは、例えばその四隅近傍の画素値に基づいて定められた背景画素値とは異なる（色空間上で所定閾値以上の距離にある）画素値の画素をいう。
【００２０】
［線分除外画像生成部］
線分除外画像生成部２４は、前処理部２１が出力する処理対象データに含まれる画素のうち、線分抽出処理部２２によって抽出された文字線画部分の画素を除去（すなわちその画素値を背景画素値に設定するなど）して、線分除外画像データを生成する。すなわち、この線分除外画像データは、処理対象データから文字や線画を取り除いた画像となっている。
【００２１】
線分除外画像生成部２４は、さらに、この線分除外画像データに含まれる画素のうち除去された画素の画素値を、その近傍にある、除去されなかった画素の画素値に設定する処理（穴埋処理）を行ってもよい。
【００２２】
さらに線分除外画像生成部２４は、当該穴埋処理後の線分除外画像データについてＪＰＥＧ（Joint Picture Experts Group）圧縮処理を行い圧縮線分除外画像データを生成して記憶部１２に格納する。
【００２３】
［線画画像処理部］
線画画像処理部２５は、機能的には図３に示すように、色数算出部３１と、選択部３２と、第１圧縮部３３と、第２圧縮部３４と、第３圧縮部３５と、分割部３６とを含んで構成される。
【００２４】
ここで色数算出部３１は、レイアウト解析部２３によって線画矩形と判断された各矩形領域について、それぞれに内包されている画素の値の種類の数、つまり色の数をカウントする。そして当該カウントした色の数が所定値（ここでは「１」とする）を越えるか否かを判断する。
【００２５】
具体的に色数をカウントして所定値を越えるか否かを判断する処理は、図４に機能的な構成を示すように、代表色候補関連付け部４１と、画素数算出部４２と、判定部４３と、新規代表色候補決定部４４とを含んで構成される。
【００２６】
代表色候補関連付け部４１は、予め定められている代表色候補のセットを例えば記憶部１２から読み出して、処理対象となった矩形（以下、注目矩形と呼ぶ）内の各有意画素について、代表色候補のいずれかを関連付ける処理を行う。ここで代表色候補のセットには、後に説明する処理により、新たな代表色候補が追加され、更新されていくのであるが、当初は、予め定めた複数の代表色候補のみを含むものであって構わない。
【００２７】
すなわち、この代表色候補関連付け部４１は、上記有意画素から順次、一つずつ注目画素を選択し、この注目画素の画素値と、各代表色候補の画素値との色空間上での距離を演算する。そして、そのうち、最も距離の小さい代表色候補を、当該注目画素を特定する情報（例えばその座標情報）に関連付けて記憶部１２に代表色候補関係データベースとして格納していく。
【００２８】
画素数算出部４２は、代表色候補ごとに、記憶部１２に格納された代表色候補関係データベース内での出現数をカウントして出力する。判定部４３は、いずれかの代表色候補についてカウントされた出現数が所定の閾値を超えるか否かを判断し、当該所定の閾値を超える場合に注目矩形内の線画が１色であると判断する。
【００２９】
ここで所定の閾値は、予め一定の値としておいてもよいし、処理対象とした特定画素の全画素数に基づいて定めてもよい。例えば、全画素数Ｎに対してその８割である、０．８×Ｎを所定の閾値として定めてもよい。
【００３０】
また、どの代表色候補についても、カウントされた出現数が上記所定の閾値を超えない場合は、注目矩形内の線画が１色でないと判断し、処理を終了する。
【００３１】
新規代表色候補決定部４４は、処理対象矩形グループ内の特定画素で構成される文字や線画が１色でないと判断されたときに、代表色候補関係データベースを参照して、出現数の多い順に複数の代表色候補を選択する。例えば出現数の上位２つの代表色候補を選択する。そして新規代表色代表部４４は、選択した代表色候補に基づいて少なくとも一つの新規代表色を決定して、当該決定した新規代表色を代表色候補のセットに含め、代表色候補関連付け部４１に対して処理を繰返すように指示する。ここで新規代表色は、選択した代表色候補に関する統計値（例えば平均値）として決定してもよい。
【００３２】
この新規代表色候補決定部４４は、この繰り返し回数（新規代表色の決定回数）をカウントしておき、当該カウント値が所定値に達したときには、注目矩形内の線画が１色でないと判断し、処理を終了する。
【００３３】
このようにして色数算出部３１は、レイアウト解析部２３によって線画矩形と判断された矩形領域ごとに、その内部で用いられている色数が１色であるか否かを判断する。
【００３４】
本実施の形態において特徴的なことの一つは、上記色数をカウントする処理のように、有意と考えられる色数を求めていることである。例えば、元の画像データが、紙原稿をスキャンしたことにより得られており、もともと線分であった部分のエッジが鈍り、エッジ部分と線分の中心部とが少々異なる色となる場合でも、線分として有意な色は１色と判定される。一方、明らかなグラデーションを持つ線分においては、当該線分が複数の色を持つと判定される。
【００３５】
選択部３２は、レイアウト解析部２３によって線画矩形と判断された矩形領域を順次注目矩形として選択しながら次の処理を行う。すなわち選択部３２は、注目矩形についての色数算出部３１の判断結果を参照し、判断の結果、注目矩形内で用いられている色の数が「１」であるときには、当該注目矩形の情報を第１圧縮部３３に選択的に出力する。また、注目矩形内で用いられている色の数が複数であるときには、所定の条件に基づいて、第２圧縮部３４と第３圧縮部３５と分割部３６とのいずれかを出力先として選択し、当該注目矩形の情報を選択した出力先に出力する。ここで所定の条件は、例えば事前に利用者から受けた設定とすることとしてもよい。
【００３６】
第１圧縮部３３は、入力される矩形内の画像データを二値化して二値化画像データを生成し、当該二値化画像データを可逆な圧縮方法で圧縮処理する。この圧縮処理としては例えばＭＭＲ等のランレングス圧縮方法などがある。そしてこの第１圧縮部３３は、当該圧縮処理の結果を線画プレーン要素データとして出力する。なお、この第１圧縮部３３は、入力される矩形内の画像データ（ここでは単色の線画画像データ）について、その画素値のヒストグラムを用いて代表色を決定し、上記圧縮処理の結果にこの代表色の情報を関連付けて線画プレーン要素データとして出力するようにしてもよい。
【００３７】
第２圧縮部３４は、図５（ａ）に示すように、限定色化部５１と、多値可逆圧縮部５２とを含んで構成される。限定色化部５１は、例えば入力された画像データの画素値についてヒストグラムを生成し、当該ヒストグラムの各ピークに対応する各画素値を代表画素値として定める。そして入力された画像データの各画素について、最も近い代表画素値をそれぞれ見いだし、各画素を当該見いだされた代表画素値に設定して、利用されている色数を減色する。なお、ここでは一例を示したが、この限定色化の処理については、広く利用されているものを用いることができる。
【００３８】
多値可逆圧縮部５２は、限定色化後の画像データについて、多値画像に対応した可逆な圧縮方式で圧縮処理し、この圧縮処理結果を線画プレーン要素データとして出力する。なお、ここでの圧縮方式は、例えばＪＢＩＧ２やＰＮＧなどがある。
【００３９】
第３圧縮部３５は、図５（ｂ）に示すように、色画像生成部５３と、色画像圧縮部５４とを含む。色画像生成部５３は、入力された画像データを二値化処理した二値化画像データを生成する。また入力された画像データに含まれる画素について、色ごとに連続部分を検出し、当該色ごとの連続部分に外接する矩形を画定する。そして、当該連続部分の色で上記矩形を塗潰した画像（色画像）を生成する。
【００４０】
具体的に図６（ａ）に示すように、赤色の線分と青色の線分とからなる画像データについては、図６（ｂ）に示すように赤色線分に外接する赤色矩形と、青色線分に外接する青色矩形とを生成し、これらを含む色画像を生成する。この色画像は、上記二値化画像データに含まれる有意画素部分に合成したときに、各線分を構成する画素の色を再現するものとなっている。なお、図６では図示の都合上、色の相違を線種やハッチングの相違で表現している。
【００４１】
色画像圧縮部５４は、上記生成した二値化画像データと、色画像データとの少なくとも一方を圧縮処理する。具体的には二値化画像データについては、ランレングス圧縮を行い、色画像データについては、解像度変換を行って、元の色画像データを再現可能な最小の解像度に変換することで圧縮を行えばよい。この場合、色画像圧縮部５４は、ランレングス圧縮された二値化画像データと、解像度変換後の色画像データとを含むデータを、線画プレーン要素データとして出力する。
【００４２】
分割部３６は、入力された画像データに含まれる画素について、色ごとに連続部分を検出し、当該色ごとの連続部分からなる画像データ群（部分線画構成画素群）を生成する。すなわち、この分割部３６は、図６（ａ）に示した画像データから、図６（ｃ），（ｄ）に示すような、赤色画素からなる画像と、青色画素からなる画像とを生成する。これらの画像に用いられている色数は、それぞれ１色のみとなっている。
【００４３】
分割部３６は、上記生成した部分線画構成画素群を第１圧縮部３３に出力する。この場合第１圧縮部３３は、入力される各画像データを二値化して二値化画像データを生成し、各二値化画像データをランレングス圧縮等の可逆な圧縮方法で圧縮処理する。さらにこの第１圧縮部３３は、入力される各画像データについて、それぞれの代表色を決定し、上記各二値化画像データの圧縮処理の結果のそれぞれに、対応する代表色の情報を関連付けて線画プレーン要素データとして出力する。
【００４４】
［文字画像処理部］
文字画像処理部２６は、レイアウト解析部２３が出力する文字矩形に含まれる各画素を二値化して、ランレングス圧縮し、文字プレーン要素データとして出力する。なお、ここでは二値の可逆圧縮を行うこととしているが、多値の可逆圧縮方式を用いても構わない。
【００４５】
［フォーマット処理部］
フォーマット処理部２７は、圧縮線分除外画像データと、線画プレーン要素データと、文字プレーン要素データとを所定のフォーマットのデータに変換して、当該変換後のデータを出力する。具体的にこのフォーマット処理部２７は、ＰＤＦ（Portable Document Format）のデータを生成してもよい。このＰＤＦのデータを生成する場合は、さらに文字プレーン要素データを伸長して文字矩形を生成する指示と、線画プレーン要素データを伸長して線画矩形を生成する指示と、圧縮線分除外画像データを伸長して線分除外画像データを生成する指示と、これら線分除外画像データと線画矩形（正確にはそれに含まれる有意画素群）と、文字矩形（正確にはそれに含まれる有意画素群）とを合成して、元の画像データを再現する指示と、が含まれる。
【００４６】
フォーマット処理部２７は、この生成したＰＤＦデータを記憶部１２に格納し、または画像出力部１４にこのＰＤＦデータを出力して、外部の装置に送出させる。
【００４７】
［変形例］
なお、ここまでの説明では、線画について線画画像処理部２５にて処理することとしていたが、利用者の設定に応じて、抽出した線分から文字を除いて得た線画部分を、線分除外画像生成部２４に出力してもよい。この場合線分除外画像生成部２４は、入力された線画の画像データを線分除外画像データに合成し、当該合成後の画像データについて穴埋処理を行い、ＪＰＥＧ（Joint Picture Experts Group）圧縮処理を行い圧縮線分除外画像データを生成して記憶部１２に格納する。
【００４８】
このように、本実施の形態の画像処理装置に対しては、利用者は、予め図示しない操作部を介して、線分除外画像データの圧縮方式の設定（ＪＰＥＧとするかＬＺ方式に基づくものを利用するか、さらには圧縮を行わない設定など）や、圧縮パラメータ（例えばＪＰＥＧの圧縮率の設定）や、レイアウト解析の結果得られた段落ごとに文字の色を１色として扱う旨の設定や、写真（線分除外画像データ）について解像度を変換するか否か、さらには線画の画像を線分除外画像データに合成するか否かの設定を入力しておく。さらに利用者は、多色の線画の画像データについての圧縮方式の設定を入力しておく。
【００４９】
そして本実施の形態の画像処理装置は、処理対象の画像データから線分画像を抽出し、さらに線分画像にレイアウト解析処理を行って文字部分と線画部分とを分離し、文字部分については、レイアウト解析の結果得られた段落ごとに、例えば上記設定によって１色として扱うと設定されていれば、二値化可逆圧縮を行い、その設定がなければ多色の可逆圧縮を行う。
【００５０】
また、線画については、それに含まれる色数が１であればランレングス圧縮し、色数が複数であれば、設定に応じた圧縮方式で圧縮処理を行う。さらに処理対象の画像データから上記抽出した線分画像を除去し、穴埋処理を行った上で、ＪＰＥＧなど設定された圧縮方式での圧縮を行う。そして、文字についての圧縮結果と線画についての圧縮結果と線分画像除去後の画像データの圧縮結果とを合成して所定のフォーマットのデータを生成して出力する。
【００５１】
このように本実施の形態では、線画を個別に扱うことで、線画部分の画質劣化を防止できる。
【図面の簡単な説明】
【００５２】
【図１】本発明の実施の形態に係る画像処理装置の一例を表す構成ブロック図である。
【図２】本発明の実施の形態に係る画像処理装置の制御部によって実行される処理内容を表す機能ブロック図である。
【図３】線画画像処理部２５の処理内容例を表す機能ブロック図である。
【図４】色数算出部３１の処理例を表す機能ブロック図である。
【図５】第２、第３圧縮部の処理内容例を表す機能ブロック図である。
【図６】色画像データの一例を表す説明図である。
【符号の説明】
【００５３】
１１  制御部、１２  記憶部、１３  画像入力部、１４  画像出力部、２１  前処理部、２２  線分抽出処理部、２３  レイアウト解析部、２４  線分除外画像生成部、２５  線画画像処理部、２６  文字画像処理部、２７  フォーマット処理部、３１  色数算出部、３２  選択部、３３  第１圧縮部、３４  第２圧縮部、３５  第３圧縮部、３６  分割部、４１  代表色候補関連付け部、４２  画素数算出部、４３  判定部、４４  新規代表色候補決定部、５１  限定色化部、５２  多値可逆圧縮部、５３  色画像生成部、５４  色画像圧縮部。
【図１】
2005244649.tif 000004
【図２】
2005244649.tif 000005
【図３】
2005244649.tif 000006
【図４】
2005244649.tif 000007
【図５】
2005244649.tif 000008
【図６】
2005244649.tif 000009